(57)【要約】  【課題】太針金式や合成樹脂製のクリーニング用ハンガーのような簡易ハンガーをダブルにして使用すると共に洗濯物の中で間隔を開閉することによって、洗濯物の中の通風を良くして乾燥し易くしたり、洗濯物への着脱を容易にする。  【解決手段】両端に簡易ハンガーの嵌入手段を有する２本のバー状体をＸ字状に軸支連結すると共に、軸支部を中心にして交差角αやβを設定したり折り畳み可能な構造にしてあるので、２本のバー状体１、２の交差角を調節することによって、間隔Ｇ１、Ｇ２を自由に設定し使用でき、三角状の簡易ハンガーをダブルにして使用する際に、一対の簡易ハンガーの間隔を洗濯物の中で開閉することで、洗濯物の着脱が容易になる。【選択図】図１１
2011005057.tif 000002
【特許請求の範囲】
【請求項１】
太針金製や合成樹脂製の三角状の簡易ハンガーをダブルにして使用できるように一対の簡易ハンガーの間隔を開けることのできるハンガーセパレーターであって、
両端に簡易ハンガーの嵌入手段を有する２本のバー状体がＸ字状に連結されているか、ワンタッチでＸ字状に連結可能な構成としたことを特徴とするハンガーセパレーター。
【請求項２】
太針金製や合成樹脂製の三角状の簡易ハンガーをダブルにして使用できるように一対の簡易ハンガーの間隔を開けることのできるハンガーセパレーターであって、
両端に簡易ハンガーの嵌入手段を有する２本のバー状体をＸ字状に軸支連結すると共に、軸支部を中心にして折り畳み可能な構造としたことを特徴とするハンガーセパレーター。
【請求項３】
前記の嵌入手段は、ハンガーの嵌入方向を自由に変えられるように回転構造にすると共に、
小幅の嵌入凹部及び／又は大幅の嵌入凹部とを有し、太針金式簡易ハンガーと合成樹脂製簡易ハンガーの双方に併用可能な構造としたことを特徴とする請求項２に記載のハンガーセパレーター。
【請求項４】
前記の軸支部は、２本のバー状体の交差角を所定の角度間隔にロックできるような間欠ロック手段若しくは一対のバー状体に嵌入させて間隔を変化不能とするためのかすがい状固定手段を有しているか、又は紐、ワイヤー若しくは鎖によって、片方のバー状体を他方のバー状体と連結して、相互の間隔が変動不能としたことを特徴とする請求項２または請求項３に記載のハンガーセパレーター。
【発明の詳細な説明】
【技術分野】
【０００１】
本発明は、太針金式や合成樹脂製のクリーニング用ハンガーのような簡易ハンガーをダブルにして使用すると共に間隔を開閉することによって、洗濯物の中の通風を良くして乾燥し易くしたり、洗濯物への着脱を容易にするためのハンガーセパレーターに関する。
【背景技術】
【０００２】
このように洗濯物の中に挿入することによって洗濯物の乾きを速くするハンガーとして、特許文献１に記載のように、エチケット上も防犯上も外から丸見えでないほうが好ましいパンティー・ブラジャーなどの小物被乾燥物を、気兼ねなく安心して干すために、同一のハンガーに掛ける他の被乾燥物を遮蔽物として利用して、外から何が干してあるか見え難いようにすると同時に、被乾燥物を共に十分に乾燥出来るようなエチケットハンガーが提案されている。  
その構成は、被乾燥物をハンガーの懸架部に掛けたときに、被乾燥物を広げ・膨らませて掛けられるとともに、被乾燥物の内側に空間を構成できるように、複数の懸架部を持った折畳み可能なパラソル状のハンガーである。また、被乾燥物を掛けることにより作られる内部空間に、外部から見え難いように小物被乾燥物を掛けることができる洗濯バサミを複数の懸架部に取り付けられるようになっている。
【０００３】
これに対し、特許文献２に記載のように、下着類などのように人目に触れられたくない洗濯物を他の洗濯物で囲うようにして、外から見えないようにして干すために、同型の二等辺三角形型ハンガー２個を６〜８ｃｍの間隔をおいて左右一対の連結板で連結し、この連結板それぞれに幅広ピンチをチェーンで取付け、下着類などを挟んで吊るした後、Ｔシャツなどを一対のハンガーに袋状に掛けることによって、内側の下着類を見えなくする。
【先行技術文献】
【特許文献】
【０００４】
【特許文献１】特開２００６−７５５７３
【特許文献２】特開２００２−６６１９３
【発明の概要】
【発明が解決しようとする課題】
【０００５】
しかしながら、特許文献２に記載のような構造では、連結板が２個必要なほか、一対のハンガーの間隔の調整が不可能なため、特にＴシャツや下着類のように常に閉じた状態の洗濯物には着脱が困難で、使い方も限定される。従って、子ども用の小さいＴシャツをかけて乾すのは不可能である。
また、特許文献１記載のハンガーは、パラソル状の特殊な構造となり、しかも構造が複雑なため、高価な製品となり、使い方もワンパターンで、普及は期待できない。特に、クリーニング済み品を掛けるハンガーとして無料で提供される最もシンプルな太針金製や合成樹脂製の簡易ハンガーには適用できないという点で致命的である。
本発明の技術的課題は、このような問題に着目し、最も普及している簡易型の太針金製や合成樹脂製のハンガーにそのまま装着して使用できると共に洗濯物の中でも開閉でき、しかもコンパクトに折り畳んで携帯したり、さらにいろいろな使い方もできる多用途型のハンガーセパレーターを実現することにある。
【課題を解決するための手段】
【０００６】
本発明の技術的課題は次のような手段によって解決される。請求項１は、クリーニングハンガーのような、三角状の簡易ハンガーをダブルにして使用できるように一対の簡易ハンガーの間隔を開けることのできるハンガーセパレーターであって、
両端に簡易ハンガーの嵌入手段を有する２本のバー状体がＸ字状に連結されているか、又はワンタッチでＸ字状に連結可能な構成としたことを特徴とするハンガーセパレーターである。
このように、図１の如く両端に簡易ハンガーの嵌入手段を有する２本のバー状体１、２がＸ字状に連結されているため、両端の嵌入手段３、３と嵌入手段４、４によって、２本の簡易ハンガーの下辺５、６を嵌入すると、間隔Ｇ１を保つことができ、これに対し直角方向にハンガーの下辺７、８を嵌入すれば、間隔Ｇ２を保つことができる。
【０００７】
図１は、２本のバー状体１、２がＸ字状に一体に連結されているのに対し、通常は分離状態とし、使用時に互いにワンタッチで着脱することによって、Ｘ字状に連結させて図１の状態とし、２本の簡易ハンガー下辺５、６を嵌入したり、直角方向のハンガー下辺７、８を嵌入させて使用することもできる。
このように、２本の簡易ハンガーにおいて、その下辺５、６や下辺７、８の間隔をＧ１やＧ２のように設定して保持できるので、シャツや上着などの洗濯物をかけて乾した際に、内部が空洞状になるので通風が良くなり、乾きが速くなり、短時間に乾燥可能となる。
間隔を小さくしたければ間隔Ｇ１の位置にハンガー下辺５・６を嵌入すればよく、大きくしたければ、間隔Ｇ２の位置にハンガー下辺７・８を嵌入すればよい。使用に際しては、Ｔシャツやズボン類のように閉じた形状の洗濯物の中に一対の簡易ハンガーを閉じた状態で挿入してから、中で開いて間隔Ｇ１・Ｇ２を設定できる。
【０００８】
請求項２は、太針金製や合成樹脂製の三角状の簡易ハンガーをダブルにして使用できるように一対の簡易ハンガーの間隔を開けることのできるハンガーセパレーターであって、
両端に簡易ハンガーの嵌入手段を有する２本のバー状体をＸ字状に軸支連結すると共に、軸支部を中心にして交差角αやβを設定したり折り畳み可能な構造としたことを特徴とするハンガーセパレーターである。
このように、両端に簡易ハンガーの嵌入手段９、９を有する２本のバー状体１、２をＸ字状に軸支手段１０で軸支連結すると共に、軸支部を中心にして交差角αやβを設定したり折り畳み可能な構造になっているので、図１の固定構造と違って、２本のバー状体１、２の交差角を調節することによって、間隔Ｇ１、Ｇ２を自由に設定し使用できる。
【０００９】
請求項３は、前記の嵌入手段は、ハンガーの嵌入方向を自由に変えられるように回転構造にすると共に、
小幅の嵌入凹部及び／又は大幅の嵌入凹部とを有し、太針金式簡易ハンガーと合成樹脂製簡易ハンガーの双方に併用可能な構造としたことを特徴とする請求項２に記載のハンガーセパレーターである。
このように、前記の嵌入手段９は、ハンガーの嵌入方向を自由に変えられるように回転構造にしてあって、嵌入させるハンガー下辺の方向に合わせて容易に向きを変えることができるので、ハンガー下辺の嵌入に支障は生じない。
また、前記の嵌入手段は、小幅Ｗ１の嵌入凹部１１と大幅Ｗ２の嵌入凹部９１とを有しているため、小幅Ｗ１の嵌入凹部１１に太針金式簡易ハンガーを嵌入することができ、大幅Ｗ２の嵌入凹部９１に合成樹脂製簡易ハンガーを嵌入することができるので、太針金式簡易ハンガーと合成樹脂製簡易ハンガーの双方に併用できる。なお、小幅Ｗ１の嵌入凹部１１だけ、又は大幅Ｗ２の嵌入凹部９１だけを設けて、太針金式簡易ハンガー専用や合成樹脂製簡易ハンガー専用も可能である。
【００１０】
請求項４は、前記の軸支部は、２本のバー状体の交差角を所定の角度間隔にロックできるような間欠ロック手段若しくは一対のバー状体に嵌入させて間隔を変化不能とするためのかすがい手段や繋ぎ手段を連結可能としたことを特徴とする請求項２または請求項３に記載のハンガーセパレーターである。
このように、前記の軸支部１０は、２本のバー状体１・２の交差角を所定の角度間隔にロックできるように、ロック手段を有しているので、２本のハンガー下辺の間隔をＧ１のように小さく、又は間隔Ｇ２のように大きくする際に、間隔Ｇ１並びに間隔Ｇ２の位置でロックされるようにロック手段を設定しておけば、間隔を容易に変更できる。使用しない場合は、ロック力より大きな外力を加えることによって容易に折り畳んだり、別の角度に設定したりできる。
あるいは、一対のバー状体に嵌入させて間隔を変化不能とするためのかすがい状固定手段を有しているため、一対のバー状体の交差角を一定に保持できる。また、紐、ワイヤー若しくはくさりなどの繋ぎ手段によって、片方のバー状体の一端寄りを他方のバー状体の両端寄りと連結して、相互の間隔が変動不能としてあるため、一対のバー状体の交差角αやβを一定に保持できる。
なお、一対の簡易ハンガーの開閉は、洗濯物の中で行なうので、Ｔシャツなどのように襟が閉じた形状の洗濯物や子ども用の小さな洗濯物でも、取付け取り外しは容易であり、Ｇパンやズボン類のベルト位置を閉じたままでも容易に着脱できる。
【発明の効果】
【００１１】
請求項１のように、両端に簡易ハンガーの嵌入手段を有する２本のバー状体１、２がＸ字状に連結されているため、両端の嵌入手段３、３と嵌入手段４、４によって、２本の簡易ハンガーの下辺５、６を嵌入すると、間隔Ｇ１を保つことができ、これに対し直角方向にハンガーの下辺７、８を嵌入すれば、間隔Ｇ２を保つことができる。従って、２本の簡易ハンガーの下辺５、６や下辺７、８の間隔をＧ１やＧ２のように設定して保持できるので、シャツや上着などの洗濯物をかけて乾した際に、内部が空洞状になるので通風が良く、乾きが速くなり、短時間に乾燥可能となる。
間隔を小さくしたければ間隔Ｇ１の位置にハンガー下辺５・６を嵌入すればよく、大きくしたければ、間隔Ｇ２の位置にハンガー下辺７・８を嵌入すればよい。使用に際しては、Ｔシャツやズボン類のように閉じた形状の洗濯物の中に一対の簡易ハンガーを閉じた状態で挿入してから、中で開いて間隔Ｇ１・Ｇ２を設定できる。
【００１２】
請求項２のように、両端に簡易ハンガーの嵌入手段９、９を有する２本のバー状体１、２をＸ字状に軸支手段１０で軸支連結すると共に、軸支部を中心にして交差角αやβを設定したり折り畳み可能な構造になっているので、図１の固定構造と違って、２本のバー状体１、２の交差角を調節することによって、間隔Ｇ１、Ｇ２を自由に設定し使用できる。
【００１３】
請求項３のように、前記の嵌入手段９は回転構造にしてあるので、嵌入させるハンガー下辺の方向に合わせて容易に向きを変えることができるので、ハンガー下辺の嵌入に支障は生じない。また、前記の嵌入手段は、小幅Ｗ１の嵌入凹部１１と大幅Ｗ２の嵌入凹部９１とを有しているため、小幅Ｗ１の嵌入凹部１１に太針金式簡易ハンガーを嵌入することができ、大幅Ｗ２の嵌入凹部９１に合成樹脂製簡易ハンガーを嵌入することができるので、太針金式簡易ハンガーと合成樹脂製簡易ハンガーの双方に併用できる。
【００１４】
請求項４のように、前記の軸支部１０は、２本のバー状体１・２の交差角を所定の角度間隔にロックできるように、ロック手段を有しているので、２本のハンガー下辺の間隔をＧ１のように小さく、又は間隔Ｇ２のように大きくする際に、間隔Ｇ１並びに間隔Ｇ２の位置でロックされるようにロック手段を設定しておけば、間隔を容易に変更できる。使用しない場合は、ロック力より大きな外力を加えることによって容易に折り畳んだり、別の角度に設定したりできる。
あるいは、一対のバー状体に嵌入させて間隔を変化不能とするためのかすがい状固定手段を有しているため、一対のバー状体の交差角を一定に保持できる。また、紐、ワイヤー若しくはくさりなどの繋ぎ手段によって、片方のバー状体の一端寄りを他方のバー状体の両端寄りと連結して、相互の間隔が変動不能としてあるため、一対のバー状体の交差角αやβを一定に保持できる。
【図面の簡単な説明】
【００１５】
【図１】本発明による洗濯物干し用の固定式ハンガーセパレーターであって、（１）は正面図、（２）は底面図である。
【図２】図１のハンガーセパレーターを枕乾しに使用状態の斜視図である。
【図３】図１のハンガーセパレーターを衣類乾しに使用状態の斜視図である。
【図４】２本のバー状体の着脱連結構造の斜視図で、（１）図は連結状態、（２）は連結凹部、（３）は下向きの連結凹部である。
【図５】折り畳み式のハンガーセパレーターの斜視図で、（１）は使用状態、（２）は上向きに反転させた状態である。
【図６】図５の折り畳み式ハンガーセパレーターを折り畳んだ状態である。
【図７】交差部の間欠ロック機構の断面図で、（１）は一対のバー状体の交差部にＡ−Ａ水平断面図、（２）は交差部のＢ−Ｂ縦断面図である。
【図８】一対のバー状体を分離して交差角を設定してから再度合体して使用する実施形態の交差部のＢ−Ｂ縦断面図である。
【図９】ハンガーセパレーターを三角状の簡易ハンガーの肩部に取付けることによって、間隔を設定する場合の斜視図である。
【図１０】一対の簡易ハンガーを上下に吊り下げて使用する例の斜視図である。
【図１１】通常の合成樹脂製の簡易ハンガーをハンガーセパレーターでダブルにした斜視図である。
【図１２】大小の嵌入凹部を有する嵌入手段の実施形態で、（１）は斜視図、（２）は小凹部を示す図、（３）は大凹部を示す図、（４）は嵌入手段とバー状体との連結構造の他の実施形態の縦断面図である。
【発明を実施するための形態】
【００１６】
次に本発明による洗濯物干し用のハンガーセパレーターが実際上どのように具体化されるか実施形態を説明する。図１は、本発明による洗濯物干し用のハンガーセパレーターであって、固定式セパレーターの正面図と底面図である。（２）図のように、下から見た場合、２本のバー状体１と２がＸ字状に交差した状態で一体に連結されている。ただし、直角に交差しているのでなく、９０度より小さい角度αで交差しているため、他方の大きい方の角度βは、「１８０度−α」となる。
２本のバー状体１、２の両端には、簡易ハンガーの下辺５、６並びに下辺７、８を嵌入できるように、嵌入手段３、４をそれぞれ有している。これらの嵌入手段３、４は、互いに平行状態のハンガー下辺５、６が嵌入できるような凹部３５・３６と、直角方向のハンガー下辺７、８が嵌入できるような凹部３７・３８とを有している。結果的に、嵌入手段３、４は、下側から見ると、「＋」状の直交凹部となる。
【００１７】
２本のバー状体１、２は、交差角α、βを保持できるように、一体成型の帯板状体で構成され、両端の保持手段３、４を形成する部分だけが、下向きに５〜１０ｍｍ程度突出している。＋状の凹部も５〜１０ｍｍ程度の深さになっている。
そのため、ハンガー下辺５、６又は７、８を取付けるには、それぞれの方向の凹部にハンガー下辺５、６又は７、８を強引に押し込んで嵌入することによって、容易に取付けられる。
また、嵌入凹部の入口寄りの位置に、ハンガー下辺５、６又は７、８が保持され易いように、円弧状やＶ状などの窪み１１を形成してある。その結果、この窪み１１中にハンガー下辺５、６や７、８が嵌入することによって、それ以上深く入り込まないように位置決めされると共に、容易に離脱不能となる。
このように、嵌入凹部３５・３６、３７・３８を有する嵌入手段３、４は合成樹脂製のため、凹部の開口が容易に開閉してハンガー下辺が嵌入でき、かつ嵌入凹部の入り口寄りの窪み１１でハンガー下辺５、６や７、８を弾力的に保持できる。従って、窪み１１の位置にハンガー下辺が嵌入した際に、「窪みの内径≦ハンガー下辺の外径」となるような寸法関係が良い。また、「凹部の開口寸法＜ハンガー下辺の外径」となるようあ寸法設定が良い。その結果、ハンガー下辺で嵌入凹部の開口を押し開いて嵌入できる。
【００１８】
図２は、図１のハンガーセパレーターの使用状態の斜視図で、２本の太針金製の三角状の簡易ハンガーの下辺５、６をハンガーセパレーターの２本のバー状体１、２の両端の嵌入手段３、４に嵌入させてある。すなわち、左端の嵌入手段３、４に左側のハンガーの下辺５を嵌入させると共に、右側の嵌入手段４、３に右側のハンガーの下辺６を嵌入させることによって、下辺５、６の間隔Ｇ２を保っている。
図示例では、このハンガーセパレーターと下辺５、６の上に枕１２を載せて乾している状態である。なお、両ハンガーのフックＦ１、Ｆ２は、共通の物干し竿１３に、間隔Ｇ２の状態で引っ掛けてある。
【００１９】
枕１２に代えて、衣類を乾している状態が図３である。このようにシャツ１４などを乾す場合は、シャツ１４の肩部を両ハンガーに掛けると共に両袖に両ハンガーの左右に突出した両端部ａ、ｂを挿入する。すなわち、通常は１本の簡易ハンガーにシャツなどを掛けて乾すのに対し、図３の場合は、ハンガーセパレーターで分離状態の２本の簡易ハンガーにシャツ１４を掛けてある。その結果、シャツ１４の前身頃と後身頃が間隔Ｇ２だけ離されるため、通風性が良くなり、乾きが速くなる。
従って、宿泊先にハンガーセパレーターだけ持参すれば、備付けの簡易ハンガーを２本借用してセパレート状態で使用し、宿泊中に短時間乾燥させるのに適している。なお、２本のハンガーのフックＦ１、Ｆ２は、図２のように離した状態で竿１３やロープに引っ掛けてもよいが、図３のように２本のフックＦ１、Ｆ２を束ねた状態で引っ掛けてもよい。径が例えば２〜６ｍｍ程度のゴムチューブを５〜２０ｍｍ程度の長さにカットし、その中に２本のフックＦ１、Ｆ２を挿通することによって、容易に束ねた状態にできる。
【００２０】
図３のように、簡易ハンガーをダブルにして衣類を乾す場合は、衣類の中に隠れた状態のハンガーセパレーターに取付けてある洗濯ばさみ１５を利用して、女性の下着や靴下などの小物１６を乾すこともできる。
従って、ベランダや屋外で乾す場合は、ハンガーセパレーターの洗濯ばさみ１５で女性の下着類を取付けてから、シャツ１４や上着類をダブル状態のハンガーに掛けて乾すと、下着類は外から見えないので、盗難に遭ったりするのを防止できる。
なお、Ｇパンなどのズボン類を乾す場合は、図３のような開襟シャツと違って、ベルトの位置が閉じているために、ハンガー両端ａ・ａ間やｂ・ｂ間がハンガー自体の弾力に抗して接近した状態となる。その結果、ベルトの下側の位置で、常にハンガーの弾力でズボン類を押し開く方向の力が作用し、その上側でベルト位置が閉じているので、乾燥中の脱落や落下が防げる。
【００２１】
以上のハンガーセパレーターは一体成型であるのに対し、図４は、２本のバー状体１、２がワンタッチで着脱することによって、Ｘ字状に連結する実施形態である。（１）図のように一対のバー状体１、２をＸ字状に着脱できるように、片方のバー状体２は、（２）図のように凹部２ａを交差部に形成してあり、他方のバー状体１は、（３）図のように下向きの凹部１ａを交差部に形成してある。
従って、（１）図のように、バー状体２の凹部２ａの上に他方のバー状体１の下向き凹部１ａを重ねて、互いに凹状の切除部に残余の連続部を嵌入させることによって、互いにＸ字状に連結されるので、使用に際してこのように連結し、使用後は離脱させて分離状態で携帯できる。
互いにきつく嵌入できるように成型しておけば足りるが、緩い場合は、中央部に貫通穴を開けてネジ止めするなと、容易に分離しないような工夫は容易である。なお、図１（２）のような交差角αβの設定は、凹部２ａと下向き凹部１ａの形成方向によって容易に実現可能である。
【００２２】
図５は、折り畳み式のハンガーセパレーターで、（１）は使用状態、すなわち上側から見た斜視図、（２）は裏返した状態の斜視図である。両端に嵌入手段９を有するバー状体１、２には、交差部の中心に貫通穴を開けて、互いに重ねた状態でネジ１０を挿通し、反対側でナットＮを螺合させてある。
従って、ナットＮを緩めて交差角αを調節し設定してから、ナットＮを締め付けると、使用可能となる。このように交差角αを任意に設定可能なため、嵌入手段９の保持凹部１１の向きを自由変更できるように、バー状体１、２の両端にネジ１７で取付けると共に、ネジ１７を中心に回転可能にしてある。
【００２３】
そのため、ハンガー下辺５、６を嵌入できるように、各嵌入手段９の凹部１１の向きをハンガー下辺５、６に合わせると容易に嵌入できるので、ハンガー下辺５、６の間隔や交差角α・βの如何にかかわらず、嵌入できる。
嵌入手段９は、有底の筒状体の底部に開けた貫通孔に止めネジ１７を挿通してバー状体１、２の両端に取付けてあり、開口部に一方向の凹部１１を形成してある。そして、凹部１１の開口外端にガイド用のＶ字状傾斜を形成して、ハンガー下辺５、６の挿入時に、入口が開き易いようにしてある。
なお、使用しない場合は、ナットＮを緩めて、図６のようにコンパクトに折り畳めるので、携帯に便利で、旅行先で洗濯物も乾すのに適している。
バー状体１、２に開けてある貫通孔１８は、図３のように、洗濯ばさみ１５の取付けフック１９を挿入して取付けるための取付け孔であり、バー状体１、２に洗濯挟み１５を吊り下げ、下着や靴下などの小物を乾すことができる。          
【００２４】
図５のように、ナットＮを緩めたり締め付けたりするのが煩わしい場合は、図７のような間欠ロック機構を用いるとよい。図７（１）はバー状体１、２の交差部の断面図で、片方のバー状体１の交差部に開けた円形の貫通孔１９の内面は例えば４５度間隔の凹部（円弧状がよい）２０を形成してある。
他方のバー状体２の交差部に設けた円筒部２１の外面には、前記の貫通孔１９内面の凹部２０に嵌入する円弧状の凸部２２を形成してある。円筒部２１を合成樹脂製にすると共にその肉厚を薄めに設定しておけば、弾力性があるので、交差角αを設定するために、片方のバー状体１に対し他方のバー状体２を相対的に回転させると、ロック凸部２２が回転して次の凹部２０に嵌入するたびにロックされるので、一対のバー状体１、２の交差角αを、例えば４５度間隔にロックできる。
【００２５】
図７の場合は、一対のバー状体１、２を相対的に回転させるだけで足りるが、不意の外力で回転して交差角α、βが狂ってしまう恐れがあるので、図８の実施形態は、交差角の狂いが生じない構造である。図７では、円筒部２１の他端に鍔状のフランジ２１ｆを設けてあるので、貫通孔１９から抜けないが、図８では円筒部２１中に設けたスリットＳ付き嘴状ストッパー２３は、スリットＳによって開閉可能なため、閉じると、ワッシャー板２４の内径よりも、嘴状ストッパー２３の算盤珠状の膨出部２３ｆの外径が小さくなるので、円筒部２１を図の下側に抜くことができる。
こうして、円筒部２１を抜き出して、片方のバー状体１に対し他方のバー状体２を相対的に回転させて、ロック凸部２２を別の所望の凹部２０に嵌入させて交差角α・βを設定してから、再び図示のように挿入し、かつワッシャー板２４中に嘴状ストッパー２３を強引に挿入すると、図示の状態にロックされる。従って、嘴状ストッパー２３が閉じて円筒部２１が抜けない限り、交差角α・βの変動は生じない。
なお、円筒部２１中のスリット３付きの円柱状部２１ｐは、円筒部２１中に挿入した状態で、その下端部をバー状体２に接着や溶着で一体化してある。
【００２６】
以上の角度ロック手段以外の交差角保持手段としては、図５のようなかすがい状の固定具２５を使用して、その両端の下向きピン部２６を、バー状体１、２の前記貫通孔１８に挿入することによって、交差角αを設定することもできる。洗濯挟みは、かすがい状固定具２５を挿入しない、残りの貫通孔１８に取付ければ足りる。
ピン部２６の外径を貫通孔１８の内径よりわずかに太くしておけば、挿入がきつくなるが、容易に抜けるのを防止できる。あるいは、ピン部２６を図８のスリットＳのように二分割状に割ると弾力が出るので、抜け防止になると共に、弾力が有るので抜き差しも容易である。
また、図５（１）のように片方のバー状体１に開けた貫通孔１８と他方のバー状体２に開けた貫通孔１８・１８とを紐やワイワー、鎖などの繋ぎ手段２７・２７で繋いでおけば、交差角αやβが変化するのを阻止できる。
【００２７】
図９は、図５、図６の折り畳み式ハンガーセパレーターを三角状の簡易ハンガーの肩部２８・２８に取付けることによって、一対の簡易ハンガーを所定の間隔に分離して使用する例である。
図１０は、三角状の簡易ハンガーの肩部２８・２８にハンガーセパレーターを取付けた状態で、一対の簡易ハンガーを上下に吊り下げて使用する例である。
以上のように、交差構造のハンガーセパレーターはいろいろな使い方が可能である。
【００２８】
図１１は、本発明のハンガーセパレーターを通常の合成樹脂製の簡易ハンガーに適用した実施形態で、このように合成樹脂製ハンガーの嵌入できるように、図１２のような大幅の嵌入凹部９１も有している。
図１２（１）の２用途嵌入手段９２は、図５の太針金式ハンガー専用の嵌入手段９において、小幅の嵌入凹部１１と直角方向に大幅の嵌入凹部９１を形成してあるので、この大幅の嵌入凹部９１に図１１のように合成樹脂製簡易ハンガーの下辺５、６を嵌入することによって、太針金式簡易ハンガーと合成樹脂製簡易ハンガーの併用が可能となる。
図１２（２）は、太針金式簡易ハンガーの下辺を嵌入するための小幅Ｗ１の嵌入凹部１１側の正面図であり、図１２（３）は、合成樹脂製簡易ハンガーの下辺を嵌入するための大幅Ｗ２の嵌入凹部９１側の正面図である。このように、太針金式簡易ハンガー用の小幅Ｗ１の嵌入凹部１１と、合成樹脂製簡易ハンガー用の大幅Ｗ２の嵌入凹部９１側の双方が形成された嵌入手段９２を、交差角αやβ可変構造のバー状体１、２の両端に設けると、太針金式簡易ハンガーと合成樹脂製簡易ハンガーの併用が可能である。
【００２９】
図１２（１）（２）（３）は、兼用タイプの嵌入手段９２側に設けた取付けピンＰ１を、バー状体１、２両端に開けた貫通孔に挿通して離脱不能に取付けてあるのに対し、図１２（４）は逆に、バー状体１、２両端に設けた取付けピンＰ２を、兼用タイプの嵌入手段９２の底部に開けた貫通孔に挿通して離脱不能に取付けてある。
兼用タイプの嵌入手段９２は、取付けピンＰ１・Ｐ２を中心にして回転できるため、図５の場合と同様に、ハンガー下辺５、６の向きに合わせてから嵌入できる。
なお、図１２の大幅の嵌入凹部９１のみを形成することによって、合成樹脂製ハンガー専用のハンガーセパレーターも可能である。
【産業上の利用可能性】
【００３０】
以上のように、本発明によるＸ状のハンガーセパレーターの両端の凹部に、最も普及している簡易ハンガー下辺５、６を嵌入するだけで、一対のハンガー下辺５、６の間隔を洗濯物の中で開いて一定に保持し、ダブルの状態で洗濯物を掛けて乾せるので、通風が良く乾燥が速い。しかも、ハンガーセパレーターを利用して洗濯物の内側に女性の下着などの小物を乾すことができ、さらにいろいろな使い方もできると共に、コンパクトに折り畳んで携帯することができる。
【符号の説明】
【００３１】
１・２  バー状体
３・３、４・４  嵌入手段
５・６  ハンガー下辺
７・８  直角方向のハンガー下辺
９  嵌入手段
９１  大幅の嵌入凹部
９２  大小の嵌入凹部を有する嵌入手段
１０  軸支手段
１１  円弧状やＶ状などの窪み
１２  枕
１３  物干し竿
１４  シャツ
１５  洗濯ばさみ
１６  下着や小物
１７  ネジ
１８  貫通孔
１９  取付けフック
２０  円弧状凹部
２１  円筒部
２２  円弧状の凸部
２３  スリットＳ付きの嘴状ストッパー
２４  ワッシャー板
２５  かすがい状の固定具
２６  下向きピン部
２７  繋ぎ手段
２８  三角状の簡易ハンガーの肩部
【図１】
2011005057.tif 000003
【図２】
2011005057.tif 000004
【図３】
2011005057.tif 000005
【図４】
2011005057.tif 000006
【図５】
2011005057.tif 000007
【図６】
2011005057.tif 000008
【図７】
2011005057.tif 000009
【図８】
2011005057.tif 000010
【図９】
2011005057.tif 000011
【図１０】
2011005057.tif 000012
【図１１】
2011005057.tif 000013
【図１２】
2011005057.tif 000014